(57)【特許請求の範囲】
【請求項１】
計数すべき紙幣をセットする紙幣セット手段と、前記紙幣セット手段にセットされた紙幣を、１枚づつ、紙幣計数機内に繰り出す紙幣繰り出し手段と、前記紙幣繰り出し手段によって、紙幣計数機内に繰り出された紙幣を搬送する紙幣搬送手段と、紙幣の光学的性質および／または磁気的性質を検出して、紙幣の検出データを生成する検出データ生成手段と、紙幣の基準データを記憶する基準データ記憶手段と、前記検出データ生成手段によって生成された紙幣の検出データと、前記基準データ記憶手段に記憶された紙幣の基準データを比較して、紙幣が受け入れ可能か否かおよび紙幣の金種、前記紙幣搬送手段によって、紙幣が１枚づつ搬送されているか否かならびに紙幣が紙幣計数機内で、ジャミングを起こしたか否かを判別するとともに、計数すべき紙幣を計数する判別計数手段と、基準金種および前記判別計数手段によって計数された紙幣の計数値を記憶可能なメモリ手段と、計数された紙幣を集積する紙幣集積手段を備えた紙幣計数機において、前記判別計数手段が、紙幣が基準金種とは異なる金種の受け入れ可能な紙幣であると判別したときに、前記基準金種とは異なる金種の受け入れ可能な紙幣を計数し、当該金種の紙幣計数値を増大させて、前記メモリ手段の紙幣計数値記憶領域に記憶させて、紙幣を計数するとともに、当該受け入れ可能な紙幣の金種を新たな基準金種に設定して、前記メモリ手段に記憶された前記基準金種を書き換え、前記新たな基準金種の紙幣が前記紙幣集積手段に送られるタイミングで、前記紙幣繰り出し手段および前記紙幣搬送手段の駆動を停止させ、前記紙幣集積手段に集積された書き換え前の基準金種の紙幣が、前記紙幣集積手段から回収された後に、前記紙幣繰り出し手段および前記紙幣搬送手段を駆動して、前記紙幣セット手段にセットされた紙幣の計数を再開するように構成されたことを特徴とする紙幣計数機。
【請求項２】
前記判別計数手段が、最初に受け入れ可能と判別した紙幣の金種を基準金種として、最初に設定可能に構成されたことを特徴とする請求項１に記載の紙幣計数機。
【請求項３】
さらに、最初の基準金種を指定す可能な基準金種設定手段を備えたことを特徴とする請求項１または２に記載の紙幣計数機。
【請求項４】
さらに、情報を報知する報知手段を備え、前記判別計数手段が、前記メモリ手段に記憶された前記基準金種とは異なる金種の受け入れ可能な紙幣を検出し、前記基準金種を書き換えるときに、前記報知手段によって、前記基準金種とは異なる金種の受け入れ可能な紙幣を検出し、前記基準金種を書き換えられた旨を報知させるように構成され、前記報知手段が、紙幣の計数結果を表示する表示手段およびアラームを発生するアラーム手段よりなる群から選ばれる報知手段によって構成されたことを特徴とする請求項１ないし３のいずれか１項に記載の紙幣計数機。
【請求項５】
さらに、操作されたときに、前記判別計数手段にスタート信号を出力するスタート手段を備え、前記判別計数手段が、前記スタート手段からスタート信号が入力されたときに、前記紙幣繰り出し手段および前記紙幣搬送手段を駆動して、前記紙幣セット手段にセットされた紙幣の計数を再開するように構成されたことを特徴とする請求項１ないし４のいずれか１項に記載の紙幣計数機。
【請求項６】
さらに、前記紙幣セット手段内に、紙幣が存在することを検出したときに、前記判別計数手段に、紙幣検出信号を出力する紙幣センサと、前記紙幣集積手段内に、紙幣が存在することを検出したときに、前記判別計数手段に、集積紙幣検出信号を出力する集積紙幣センサとを備え、前記判別計数手段が、前記紙幣センサから、紙幣検出信号が入力され、かつ、前記集積紙幣センサから、集積紙幣検出信号が入力されなくなった後に、前記紙幣繰り出し手段および前記紙幣搬送手段を駆動させて、前記紙幣セット手段にセットされた残りの紙幣の計数を開始するように構成されたことを特徴とする請求項１ないし４のいずれか１項に記載の紙幣計数機。
【請求項７】
前記紙幣セット手段が、前記紙幣集積手段に集積可能な紙幣の枚数よりも枚数の多い紙幣をセット可能に構成され、前記判別計数手段が、前記紙幣集積手段に集積可能な最大枚数の紙幣が、前記紙幣集積手段に集積されるまでを、１つの計数サイクルとして、計数すべき紙幣を検出するたびに、紙幣計数値を増大させて、前記メモリ手段の紙幣計数値記憶領域に記憶させて、計数すべき紙幣を計数し、紙幣の１つの計数サイクルが完了するたびに、前記紙幣繰り出し手段および前記紙幣搬送手段の駆動を停止させるとともに、当該計数サイクルで計数した計数すべき紙幣の計数値を仮計数値として、前記メモリ手段の仮計数値記憶領域に記憶させ、その後に、前記紙幣繰り出し手段および前記紙幣搬送手段を駆動させて、前記紙幣セット手段にセットされた紙幣の次の計数サイクルの計数を再開するように構成されたことを特徴とする請求項１ないし６のいずれか１項に記載の紙幣計数機。
【請求項８】
前記判別計数手段が、紙幣の１つの計数サイクルが完了するたびに、当該計数サイクルで計数した計数すべき紙幣の計数値で、前の計数サイクルにおいて、計数され、前記メモリ手段の前記仮計数値記憶領域に記憶された仮計数値を上書きして、更新し、更新された仮計数値を、前記メモリ手段の前記仮計数値記憶領域に記憶させるように構成されたことを特徴とする請求項７に記載の紙幣計数機。
【請求項９】
前記判別計数手段が、前記紙幣搬送手段によって、２枚以上の紙幣が同時に搬送されていると判別したときに、前記２枚以上の紙幣が前記紙幣集積手段に集積されるタイミングで、前記紙幣繰り出し手段および前記紙幣搬送手段の駆動を停止させ、前記集積紙幣センサから、集積紙幣検出信号が入力されなくなった後に、前記メモリ手段の前記計数値記憶領域に記憶された紙幣の計数値をクリアし、前記仮計数値記憶領域に記憶された仮計数値を、紙幣の計数値の初期値として記憶させ、前記紙幣繰り出し手段および前記紙幣搬送手段を駆動させて、前記紙幣セット手段にセットされた紙幣の計数を再開するように構成されたことを特徴とする請求項７または８に記載の紙幣計数機。
【請求項１０】
前記判別計数手段が、検出した紙幣が受け入れ不能な紙幣であると判別したときは、前記受け入れ不能な紙幣を計数せず、前記受け入れ不能な紙幣が前記紙幣集積手段に集積されるタイミングで、前記紙幣繰り出し手段および前記紙幣搬送手段の駆動を停止させ、前記スタート手段からスタート信号が入力された時点で、前記紙幣繰り出し手段および前記紙幣搬送手段を駆動させて、前記紙幣セット手段にセットされた紙幣の計数を再開するように構成されたことを特徴とする請求項７ないし９のいずれか１項に記載の紙幣計数機。
【請求項１１】
前記判別計数手段が、紙幣が紙幣計数機内で、ジャミングを起こしたと判別したときに、前記紙幣繰り出し手段および前記紙幣搬送手段の駆動を停止させ、前記集積紙幣センサから、集積紙幣検出信号が入力されなくなった後に、前記メモリ手段の前記計数値記憶領域に記憶された紙幣の計数値をクリアし、前記仮計数値記憶領域に記憶された仮計数値を、紙幣の計数値の初期値として記憶させ、前記紙幣繰り出し手段および前記紙幣搬送手段を駆動させて、前記紙幣セット手段にセットされた紙幣の計数を再開するように構成されたことを特徴とする請求項７ないし１０のいずれか１項に記載の紙幣計数機。
【請求項１２】
前記判別計数手段が、前記メモリ手段の前記計数値記憶領域に、計数すべき紙幣の金種毎の計数枚数を記憶させるとともに、前記メモリ手段の前記仮計数値記憶領域に、計数すべき紙幣の仮計数値として、それまでの計数サイクルにおいて、計数した計数すべき紙幣の金種毎の計数枚数を記憶させるように構成されたことを特徴とする請求項５ないし１１のいずれか１項に記載の紙幣計数機。
【発明の詳細な説明】
【０００１】
【発明の属する技術分野】
本発明は、紙幣計数機に関するものであり、さらに詳細には、効率良く、紙幣を計数することができ、紙幣を金種別に選別することのできる小型の紙幣計数機に関するものである。
【０００２】
【従来の技術】
従来の紙幣計数機にあっては、種々の金種の紙幣が含まれた紙幣を計数するように構成されているため、計数された紙幣を金種別に保管する機構を有しているのが一般であった。
【０００３】
その一方で、近年、紙幣計数機の小型化が要請され、機構の簡素化が望まれている。
【０００４】
【発明が解決しようとする課題】
しかしながら、かかる小型の紙幣計数機にあっては、計数された紙幣を金種別に保管するスペースがないため、計数された紙幣を金種別に保管する機構を設けることができず、したがって、種々の金種の紙幣を含んだ紙幣を計数する場合には、金種毎に、紙幣を計数した後に、紙幣を金種別に選別する必要があり、効率がきわめて悪いという問題があった。
【０００５】
したがって、本発明は、効率良く、紙幣を計数することができ、紙幣を金種別に選別することのできる小型の紙幣計数機を提供することを目的とするものである。
【０００６】
【課題を解決するための手段】
本発明のかかる目的は、計数すべき紙幣をセットする紙幣セット手段と、前記紙幣セット手段にセットされた紙幣を、１枚づつ、紙幣計数機内に繰り出す紙幣繰り出し手段と、前記紙幣繰り出し手段によって、紙幣計数機内に繰り出された紙幣を搬送する紙幣搬送手段と、紙幣の光学的性質および／または磁気的性質を検出して、紙幣の検出データを生成する検出データ生成手段と、紙幣の基準データを記憶する基準データ記憶手段と、前記検出データ生成手段によって生成された紙幣の検出データと、前記基準データ記憶手段に記憶された紙幣の基準データを比較して、紙幣が受け入れ可能か否かおよび紙幣の金種、前記紙幣搬送手段によって、紙幣が１枚づつ搬送されているか否かならびに紙幣が紙幣計数機内で、ジャミングを起こしたか否かを判別するとともに、計数すべき紙幣を計数する判別計数手段と、基準金種および前記判別計数手段によって計数された紙幣の計数値を記憶可能なメモリ手段と、計数された紙幣を集積する紙幣集積手段を備えた紙幣計数機において、前記判別計数手段が、紙幣が基準金種とは異なる金種の受け入れ可能な紙幣であると判別したときに、前記基準金種とは異なる金種の受け入れ可能な紙幣を計数し、当該金種の紙幣計数値を増大させて、前記メモリ手段の紙幣計数値記憶領域に記憶させて、紙幣を計数するとともに、当該受け入れ可能な紙幣の金種を新たな基準金種に設定して、前記メモリ手段に記憶された前記基準金種を書き換え、前記新たな基準金種の紙幣が前記紙幣集積手段に送られるタイミングで、前記紙幣繰り出し手段および前記紙幣搬送手段の駆動を停止させ、前記紙幣集積手段に集積された書き換え前の基準金種の紙幣が、前記紙幣集積手段から回収された後に、前記紙幣繰り出し手段および前記紙幣搬送手段を駆動して、前記紙幣セット手段にセットされた紙幣の計数を再開するように構成されたことを特徴とする紙幣計数機によって達成される。
【０００７】
本発明によれば、判別計数手段は、紙幣が基準金種とは異なる金種の受け入れ可能な紙幣であると判別したときに、基準金種とは異なる金種の受け入れ可能な紙幣を計数し、その金種の紙幣計数値を増大させて、メモリ手段の紙幣計数値記憶領域に記憶させて、紙幣を計数するとともに、その受け入れ可能な紙幣の金種を新たな基準金種に設定して、メモリ手段に記憶された基準金種を書き換え、新たな基準金種の紙幣が紙幣集積手段に送られるタイミングで、紙幣繰り出し手段および紙幣搬送手段の駆動を停止させ、紙幣集積手段に集積された書き換え前の基準金種の紙幣が、紙幣集積手段から回収された後に、紙幣繰り出し手段および紙幣搬送手段を駆動して、紙幣セット手段にセットされた紙幣の計数を再開するように構成されているから、メモリ手段に、基準金種として書き込まれた金種とは異なる金種の紙幣も計数することができ、また、メモリ手段に書き込まれた基準金種とは異なる金種の紙幣が検出されると、判別計数手段は、検出された紙幣の金種が新たな基準金種となるように、メモリ手段に書き込まれた基準金種を書き換え、新たな基準金種の紙幣が紙幣集積手段に送られた時点で、紙幣計数機が停止されるから、紙幣集積手段に送られて、集積されていたそれまでの基準金種の紙幣を回収して、その後に、紙幣集積手段に集積される新たな基準金種の紙幣とは別個に保管することによって、紙幣を金種別に選別することが可能になる。
【０００８】
本発明の好ましい実施態様においては、前記判別計数手段が、最初に受け入れ可能と判別した紙幣の金種を、基準金種として、最初に設定可能に構成されている。
【０００９】
本発明の好ましい実施態様によれば、枚数が少ない金種の紙幣が最初に判別され、基準金種として、設定されても、基準金種が枚数の多い紙幣の金種に書き換えられるから、あらかじめ、枚数の多い金種の紙幣が最初に検出されるように、紙幣を紙幣セット手段にセットしなくても、自動的に、枚数の多い紙幣を紙幣集積手段に集積することができ、オペレータが紙幣集積手段に集積された紙幣を回収する頻度を減少させ、効率を向上させることが可能になる。
【００１０】
本発明の別の好ましい実施態様においては、さらに、最初の基準金種を指定す可能な基準金種設定手段を備えている。
【００１１】
本発明のさらに好ましい実施態様においては、さらに、情報を報知する報知手段を備え、前記判別計数手段が、前記メモリ手段に記憶された前記基準金種とは異なる金種の受け入れ可能な紙幣を検出し、前記基準金種を書き換えるときに、前記報知手段によって、前記基準金種とは異なる金種の受け入れ可能な紙幣を検出し、前記基準金種を書き換えられた旨を報知させるように構成され、前記報知手段が、紙幣の計数結果を表示する表示手段およびアラームを発生するアラーム手段よりなる群から選ばれる報知手段によって構成されている。
【００１２】
本発明のさらに好ましい実施態様によれば、オペレータは、基準金種とは異なる金種の受け入れ可能な紙幣を検出され、基準金種が書き換えられたことを確実に知ることができ、紙幣集積手段に送られたそれまでの基準金種の紙幣と、新たに基準金種に設定された金種の紙幣を回収して、別個に保管することによって、確実に、紙幣を金種別に選別することが可能になる。
【００１３】
本発明のさらに好ましい実施態様においては、さらに、操作されたときに、前記判別計数手段にスタート信号を出力するスタート手段を備え、前記判別計数手段が、前記スタート手段からスタート信号が入力されたときに、前記紙幣繰り出し手段および前記紙幣搬送手段を駆動して、前記紙幣セット手段にセットされた紙幣の計数を再開するように構成されている。
【００１４】
本発明のさらに好ましい実施態様においては、さらに、前記紙幣セット手段内に、紙幣が存在することを検出したときに、前記判別計数手段に、紙幣検出信号を出力する紙幣センサと、前記紙幣集積手段内に、紙幣が存在することを検出したときに、前記判別計数手段に、集積紙幣検出信号を出力する集積紙幣センサとを備え、前記判別計数手段が、前記紙幣センサから、紙幣検出信号が入力され、かつ、前記集積紙幣センサから、集積紙幣検出信号が入力されなくなった後に、前記紙幣繰り出し手段および前記紙幣搬送手段を駆動させて、前記紙幣セット手段にセットされた残りの紙幣の計数を開始するように構成されている。
【００１５】
本発明のさらに好ましい実施態様においては、前記紙幣セット手段が、前記紙幣集積手段に集積可能な紙幣の枚数よりも枚数の多い紙幣をセット可能に構成され、前記判別計数手段が、前記紙幣集積手段に集積可能な最大枚数の紙幣が、前記紙幣集積手段に集積されるまでを、１つの計数サイクルとして、計数すべき紙幣を検出するたびに、紙幣計数値を増大させて、前記メモリ手段の紙幣計数値記憶領域に記憶させて、計数すべき紙幣を計数し、紙幣の１つの計数サイクルが完了するたびに、前記紙幣繰り出し手段および前記紙幣搬送手段の駆動を停止させるとともに、当該計数サイクルで計数した計数すべき紙幣の計数値を仮計数値として、前記メモリ手段の仮計数値記憶領域に記憶させ、その後に、前記紙幣繰り出し手段および前記紙幣搬送手段を駆動させて、前記紙幣セット手段にセットされた紙幣の次の計数サイクルの計数を再開するように構成されている。
【００１６】
本発明のさらに好ましい実施態様によれば、計数すべき紙幣をセットする紙幣セット手段が、計数された紙幣を集積する紙幣集積手段に集積可能な紙幣の枚数よりも枚数の多い紙幣をセット可能に構成され、判別計数手段が、紙幣集積手段に集積可能な最大枚数の紙幣が、紙幣集積手段に集積されるまでを、１つの計数サイクルとして、計数すべき紙幣を検出するたびに、紙幣計数値を増大させて、メモリ手段の紙幣計数値記憶領域に記憶させて、計数すべき紙幣を計数し、紙幣の１つの計数サイクルが完了するたびに、紙幣繰り出し手段および紙幣搬送手段の駆動を停止させるとともに、その計数サイクルで計数した紙幣の計数値を仮計数値として、メモリ手段の仮計数値記憶領域に記憶させ、その後に、紙幣繰り出し手段および前記紙幣搬送手段を駆動させて、紙幣セット手段にセットされた紙幣の次の計数サイクルの計数を再開するように構成されているから、受け入れ不能な紙幣が検出された場合や、紙幣の多重送りや紙幣のジャミングが発生した場合において、紙幣の計数動作を停止しても、それ以前の計数サイクルで計数した紙幣の仮計数値を初期値として、紙幣の計数を再開することができ、改めて、紙幣の計数をし直す必要がなく、受け入れ不能紙幣回収手段および受け入れ不能紙幣回収部を設けないで、紙幣計数機を小型化しても、紙幣の計数効率を損なうことなく、効率良く、紙幣を計数することが可能となる。
【００１７】
本発明のさらに好ましい実施態様においては、前記判別計数手段が、紙幣の１つの計数サイクルが完了するたびに、当該計数サイクルで計数した紙幣の計数値を、前の計数サイクルにおいて、計数され、前記メモリ手段の前記仮計数値記憶領域に記憶された仮計数値に上書きして、更新し、更新された仮計数値を、前記メモリ手段の前記仮計数値記憶領域に記憶させるように構成されている。
【００１８】
本発明のさらに好ましい実施態様によれば、紙幣の１つの計数サイクルが完了するたびに、その計数サイクルで計数した紙幣の計数値で、前の計数サイクルにおいて、計数され、メモリ手段の仮計数値記憶領域に記憶された仮計数値を上書きして、更新し、更新された仮計数値を、メモリ手段の仮計数値記憶領域に記憶させるように構成されているから、受け入れ不能な紙幣が検出された場合や、紙幣の多重送りや紙幣のジャミングが発生した場合において、紙幣の計数動作を停止しても、それ以前に実行されたすべての計数サイクルで計数した紙幣の仮計数値を初期値として、紙幣の計数を再開することができ、改めて、紙幣の計数をし直す必要がなく、受け入れ不能紙幣回収手段および受け入れ不能紙幣回収部を設けないで、紙幣計数機を小型化しても、紙幣の計数効率を損なうことなく、効率良く、紙幣を計数することが可能となる。
【００１９】
本発明のさらに好ましい実施態様においては、前記判別計数手段が、前記紙幣搬送手段によって、２枚以上の紙幣が同時に搬送されていると判別したときに、前記２枚以上の紙幣が前記紙幣集積手段に集積されるタイミングで、前記紙幣繰り出し手段および前記紙幣搬送手段の駆動を停止させ、前記集積紙幣センサから、集積紙幣検出信号が入力されなくなった後に、前記メモリ手段の前記計数値記憶領域に記憶された紙幣の計数値をクリアし、前記仮計数値記憶領域に記憶された仮計数値を、紙幣の計数値の初期値として記憶させ、前記紙幣繰り出し手段および前記紙幣搬送手段を駆動させて、前記紙幣セット手段にセットされた紙幣の計数を再開するように構成されている。
【００２０】
本発明のさらに好ましい実施態様によれば、判別計数手段が、紙幣搬送手段によって、２枚以上の紙幣が同時に搬送されており、多重送りが発生していると判別したときに、多重送りを発生させた紙幣が紙幣集積手段に集積されるタイミングで、紙幣繰り出し手段および紙幣搬送手段の駆動を停止させているから、受け入れ不能紙幣回収手段および受け入れ不能紙幣回収部を設けなくても、多重送りを発生させた紙幣を紙幣集積手段に回収することができ、多重送りを発生させた紙幣を紙幣集積手段から取り除き、集積紙幣センサから、集積紙幣検出信号が入力されなくなった後に、メモリ手段の計数値記憶領域に記憶された紙幣の計数値をクリアし、仮計数値記憶領域に記憶された仮計数値を、紙幣の計数値の初期値として記憶させ、紙幣繰り出し手段および紙幣搬送手段を駆動させて、紙幣セット手段にセットされた紙幣の計数を再開するように構成されているから、何枚の紙幣が同時に送られたかを判定することができず、通常は、改めて、紙幣の計数をし直す必要がある多重送りの場合にも、それ以前に実行されたすべての計数サイクルで計数した紙幣の仮計数値を初期値として、紙幣の計数を再開することができ、きわめて効率良く、紙幣を計数することが可能になる。
【００２１】
本発明のさらに好ましい実施態様においては、前記判別計数手段が、検出した紙幣が受け入れ不能な紙幣であると判別したときは、前記受け入れ不能な紙幣を計数せず、前記受け入れ不能な紙幣が前記紙幣集積手段に集積されるタイミングで、前記紙幣繰り出し手段および前記紙幣搬送手段の駆動を停止させ、前記スタート手段からスタート信号が入力された時点で、前記紙幣繰り出し手段および前記紙幣搬送手段を駆動させて、前記紙幣セット手段にセットされた紙幣の計数を再開するように構成されている。
【００２２】
本発明のさらに好ましい実施態様によれば、紙幣が受け入れ不能な紙幣であると判別したときは、判別計数手段は、その紙幣を計数せず、その受け入れ不能な紙幣が紙幣集積手段に集積されるタイミングで、紙幣繰り出し手段および紙幣搬送手段の駆動を停止させ、その受け入れ不能な紙幣が紙幣集積手段から回収された後に、紙幣繰り出し手段および紙幣搬送手段を駆動させて、紙幣セット手段にセットされた紙幣の計数を再開しているので、受け入れ不能な紙幣を確実に回収し、受け入れ可能な計数すべき紙幣のみを計数して、紙幣集積手段内に集積させることが可能になる。
【００２３】
本発明のさらに好ましい実施態様においては、前記判別計数手段が、紙幣が紙幣計数機内で、ジャミングを起こしたと判別したときに、前記紙幣繰り出し手段および前記紙幣搬送手段の駆動を停止させ、前記集積紙幣センサから、集積紙幣検出信号が入力されなくなった後に、前記メモリ手段の前記計数値記憶領域に記憶された紙幣の計数値をクリアし、前記仮計数値記憶領域に記憶された仮計数値を、紙幣の計数値の初期値として記憶させ、前記紙幣繰り出し手段および前記紙幣搬送手段を駆動させて、前記紙幣セット手段にセットされた紙幣の計数を再開するように構成されている。
【００２４】
本発明のさらに好ましい実施態様によれば、判別計数手段が、紙幣が紙幣計数機内で、ジャミングを起こしたと判別したときに、紙幣繰り出し手段および前記紙幣搬送手段の駆動を停止させ、ジャミングを起こした紙幣が紙幣集積手段から取り除かれて、集積紙幣センサから、集積紙幣検出信号が入力されなくなった後に、メモリ手段の計数値記憶領域に記憶された紙幣の計数値をクリアし、仮計数値記憶領域に記憶された仮計数値を、紙幣の計数値の初期値として記憶させ、紙幣繰り出し手段および紙幣搬送手段を駆動させて、紙幣セット手段にセットされた紙幣の計数を再開するように構成されているから、何枚の紙幣がジャミングを起こしたかを判定することができず、通常は、改めて、紙幣の計数をし直す必要がある紙幣のジャミングの場合にも、それ以前に実行されたすべての計数サイクルで計数した紙幣の仮計数値を初期値として、紙幣の計数を再開することができ、きわめて効率良く、紙幣を計数することが可能になる。
【００２５】
本発明のさらに好ましい実施態様においては、前記判別計数手段が、前記メモリ手段の前記計数値記憶領域に、計数すべき紙幣の金種毎の計数枚数を記憶させるとともに、前記メモリ手段の前記仮計数値記憶領域に、計数すべき紙幣の仮計数値として、それまでの計数サイクルにおいて、計数した計数すべき紙幣の金種毎の計数枚数を記憶させるように構成されている。
【００２６】
【発明の実施の形態】
以下、添付図面に基づいて、本発明の好ましい実施態様につき、詳細に説明を加える。
【００２７】
図１は、本発明の好ましい実施態様にかかる紙幣計数機の略縦断面図である。
【００２８】
図１に示されるように、紙幣計数機は、計数すべき紙幣を装填する紙幣ホッパー１と、紙幣ホッパー１に紙幣が装填されているか否かを検出する紙幣センサ２と、紙幣ホッパー１に装填された最下の紙幣に当接して、その回転にともない、最下の紙幣を紙幣計数機内に蹴り出す蹴り出しローラ３と、その回転にともなって、蹴り出しローラ３によって蹴り出された紙幣を、紙幣計数機内に送り込む繰り出しローラ４と、繰り出しローラ４と反対方向に回転され、繰り出しローラ４と協働して、紙幣を１枚づつに分離する分離ローラ５と、繰り出しローラ４および分離ローラ５の下流側に設けられ、紙幣を紙幣搬送通路６に送る送りローラ７と、紙幣搬送通路６に設けられ、紙幣を搬送する搬送ベルト８と、紙幣搬送通路６に設けられ、紙幣を判別するための検出信号を生成するセンサデバイス９と、複数の羽根を備え、紙幣を紙幣集積部１０内に集積させる羽根車１１と、紙幣集積部１０に紙幣が集積されているか否かを検出する集積紙幣センサ１２と、紙幣を羽根車１１の隣接する羽根の間に送り込むローラ１３と、操作パネル１４とを備えている。
【００２９】
ここに、紙幣ホッパー１には、Ｍ枚の紙幣が装填可能であり、紙幣集積部１０には、Ｎ枚の紙幣（ＮはＭより小さい正の整数である。）が集積可能に構成されており、本実施態様においては、Ｍ、Ｎは、たとえば、５００枚、２００枚に設定されている。
【００３０】
また、センサデバイス９は、発光手段（図示せず）から発せられ、紙幣を透過した光を受光手段（図示せず）によって検出して、透過光量を検出し、紙幣の透過光量データを生成するとともに、紙幣のサイズを光学的に検出して、紙幣のサイズ検出データを生成し、また、紙幣の磁気的性質を検出して、紙幣の磁気検出データを生成し、それぞれ、後述するＣＰＵに出力するように構成されている。本実施態様においては、センサデバイス９は、さらに、発光手段から発せられ、紙幣によって反射された光を検出し、紙幣の表面パターンを検出して、紙幣の表面パターン検出データを生成し、紫外線光源（図示せず）から発せられた紫外線によって、紙幣に含まれた蛍光物質が励起されて、放出する蛍光を検出して、蛍光検出データを生成し、また、紙幣に形成されている金属片を検出して、金属片検出データを生成し、それぞれ、後述するＣＰＵに出力可能に構成されている。
【００３１】
図２に示されるように、計数すべき紙幣の枚数を指定する「ＰＲＥＳＥＴ」キー２０と、すでに計数された紙幣の枚数に、計数すべき紙幣の枚数と加算させる加算モードで、紙幣を計数する場合に操作される「ＡＤＤ」キー２１と、計数した紙幣の金額を表示させる金額表示モードで、紙幣を計数する場合に操作される「ＶＡＬＵＥ」キー２２と、Ｎ枚の紙幣の計数完了後に、Ｎ枚の紙幣を紙幣集積部１０から取り出し、紙幣ホッパー１に残っている（Ｍ−Ｎ）枚の紙幣を継続して、計数する継続計数モードで、紙幣を計数する場合に操作される「ＣＶＣ」キー２３と、「ＶＡＬＵＥ」キー２２が操作された金額表示モードにおいて、金種別に金額を表示させるか、あるいは、計数した紙幣の合計金額を表示させるかを選択する「ＤＥ」キー２４と、センサデバイス９が検出した紙幣の磁気的性質ならびに紙幣のサイズおよび表面パターンと、基準磁気データならびに紙幣の基準サイズデータおよび紙幣の基準表面パターンデータとの不一致の程度が、どの程度であれば、一致した判別すべきかの許容値であるしきい値などの各種検出レベルを設定する「ＦＵＮＣＴＩＯＮ」キー２５と、テンキー２６と、紙幣の計数を開始させる「ＳＴＡＲＴ」キー２７と、紙幣の計数を確定的に終了させる「ＥＮＤ」キー２８と、表示部２９を備えている。
【００３２】
図３は、本発明の好ましい実施態様にかかる紙幣計数機の駆動系、検出系、制御系、入力系および表示系のブロックダイアグラムである。
【００３３】
図３に示されるように、紙幣計数機の駆動系は、蹴り出しローラ３、繰り出しローラ４、分離ローラ５、送りローラ７、搬送ベルト８、羽根車１１およびローラ１３を駆動するモータ３０を備え、モータ３０の駆動力は、電磁クラッチ３１および電磁ブレーキ３２を介して、蹴り出しローラ３および繰り出しローラ４に断続的に伝達されるように構成されている。
【００３４】
図３に示されるように、紙幣計数機の検出系は、紙幣ホッパー１に紙幣が装填されているか否かを検出する紙幣センサ２と、紙幣を判別するセンサデバイス９と、紙幣集積部１０に紙幣が集積されているか否かを検出する集積紙幣センサ１２とを備えている。
【００３５】
図３に示されるように、紙幣計数機の制御系は、紙幣計数機全体を制御するＣＰＵ３５と、各金種の紙幣の基準データを記憶するＲＯＭ３６と、ＲＡＭ３７とを備えている。ここに、基準データとしては、各金種毎の紙幣の基準透過光量データ、各金種毎の紙幣の基準サイズデータ、各金種毎の紙幣の基準磁気データ、各金種毎の紙幣の基準表面パターンデータ、各金種毎の紙幣の基準蛍光データおよび各金種毎の紙幣の基準金属片データが、それぞれ、ＲＯＭ３６に記憶されている。
【００３６】
図３に示されるように、紙幣計数機の入力系は、「ＰＲＥＳＥＴ」キー２０と、「ＡＤＤ」キー２１と、「ＶＡＬＵＥ」キー２２と、「ＣＶＣ」キー２３と、「ＤＥ」キー２４と、「ＦＵＮＣＴＩＯＮ」キー２５と、テンキー２６と、「ＳＴＡＲＴ」キー２７と、「ＥＮＤ」キー２８とを備えており、紙幣計数機の表示系は、表示部２９を備えている。
【００３７】
以上のように構成された本発明の好ましい実施態様にかかる紙幣計数機は、以下のようにして、紙幣を計数する。
【００３８】
まず、紙幣ホッパー１に、装填可能な最大枚数ＭであるＭ枚の紙幣が、紙幣ホッパー１に装填される。
【００３９】
本実施態様においては、紙幣ホッパー１に、装填可能な最大枚数ＭであるＭ枚の紙幣がセットされ、紙幣集積部１０内に、集積可能な紙幣枚数Ｎに等しいＮ枚の紙幣が、紙幣ホッパー１から、紙幣計数機内に繰り出され、センサデバイス９がＮ枚の紙幣を検出して、紙幣の計数が完了した後に、紙幣集積部１０に集積された紙幣を、紙幣集積部１０から取り出し、紙幣ホッパー１に残っている（Ｍ−Ｎ）枚の紙幣を継続して、計数する継続計数モードで、紙幣計数機が動作されるように構成されており、そのため、次いて、オペレータによって、「ＣＶＣ」キー２３が操作される。
【００４０】
紙幣ホッパー１に、Ｍ枚、たとえば、５００枚の紙幣がセットされ、操作パネル１４の「ＳＴＡＲＴ」キーが操作されると、ＣＰＵ３５にスタート信号が入力される。紙幣が紙幣ホッパー１内に存在している間、ＣＰＵ３５には、紙幣センサ２から、紙幣検出信号が入力される。
【００４１】
スタート信号を受けると、ＣＰＵ３５は、モータ３０に駆動信号を出力し、モータ３０が駆動される。その結果、蹴り出しローラ３、繰り出しローラ４、分離ローラ５、送りローラ７、搬送ベルト８、羽根車１１およびローラ１３が、モータ３０によって駆動される。ここに、モータ３０の駆動力は、電磁クラッチ３１および電磁ブレーキ３２を介して、蹴り出しローラ３および繰り出しローラ４に断続的に供給される。
【００４２】
蹴り出しローラ３が回転されると、紙幣ホッパー１に装填された紙幣のうち、蹴り出しローラ３が当接している最下の紙幣が、蹴り出しローラ３と下面との摩擦力によって、繰り出しローラ４に向けて、蹴り出される。
【００４３】
紙幣はさらに、繰り出しローラ４によって、紙幣計数機内に送られ、その際、繰り出しローラ４と逆方向に回転されている分離ローラ５によって、同時に、２枚以上の紙幣が紙幣搬送通路６に送られることが防止される。
【００４４】
こうして、紙幣は、１枚づつ、送りローラ７に送られ、送りローラ７によって、紙幣搬送通路６内に送られる。
【００４５】
次いで、センサデバイス９によって、紙幣が検出され、紙幣の透過光量検出データ、紙幣のサイズ検出データ、紙幣の磁気検出データ、紙幣の表面パターン検出データ、紙幣の蛍光検出データおよび紙幣の金属片検出データが生成されて、ＣＰＵ３５に送られる。
【００４６】
ＣＰＵ３５は、センサデバイス９からこれらの検出データを受けると、ＲＯＭ３６にアクセスして、紙幣の各金種各金種毎の基準透過光量検出データ、基準サイズ検出データ、基準磁気検出データ、基準表面パターン検出データ、基準蛍光検出データおよび基準金属片検出データを、ＲＯＭ３６から読み出す。
【００４７】
ＣＰＵ３５は、まず、ＲＯＭ３６から読み出した基準透過光量検出データを、センサデバイス９から入力された紙幣の各金種の透過光量検出データと比較し、紙幣が１枚づつ送られているか、あるいは、２枚以上の紙幣が同時に送られているかを判別する。
【００４８】
その結果、紙幣の各金種の基準透過光量検出データと、センサデバイス９から入力された紙幣の透過光量検出データとを比較した結果、２枚以上の紙幣が同時に送られ、多重送りが発生したと判別したときは、ＣＰＵ３５は、それらの紙幣を計数せず、それらの紙幣が紙幣集積部１０に送られるタイミングで、駆動停止信号をモータ３０に出力する。
【００４９】
したがって、多重送りを発生させた紙幣は、センサデバイス９から、さらに、ローラ１３に送られて、ローラ１３によって、羽根車１１の隣接する羽根の間に送り込まれ、紙幣集積部１０内に集積された時点で、蹴り出しローラ３、繰り出しローラ４、分離ローラ５、送りローラ７、搬送ベルト８、羽根車１１およびローラ１３が停止される。紙幣集積部１０に送られた多重送りを発生させた紙幣は、オペレータによって、回収される。
【００５０】
これに対して、検出された紙幣が１枚づつ、送られていると判別したときは、ＣＰＵ３５は、さらに、センサデバイス９から入力された紙幣のサイズ検出データ、紙幣の磁気検出データ、紙幣の表面パターン検出データ、紙幣の蛍光検出データおよび紙幣の金属片検出データを、ＲＯＭ３６から読み出した紙幣の金種毎の基準サイズ検出データ、基準磁気検出データ、基準表面パターン検出データ、基準蛍光検出データおよび基準金属片検出データと比較する。
【００５１】
紙幣のサイズ検出データと紙幣の金種毎の基準サイズ検出データとを比較した結果、紙幣の長辺の長さが各金種の紙幣の基準長辺長よりも、所定の割合を越えて、長いと判別したときは、２枚以上の紙幣が一部重なり合って、搬送され、紙幣がジャミングを起こす虞が高く、それらの紙幣を紙幣集積部１０に送ることができない虞があり、すでに、それらの紙幣がジャミングを起していた場合には、紙幣集積部１０に送ることができないため、ＣＰＵ３５は、それらの紙幣を計数することなく、ただちに、モータ３０に駆動停止信号を出力し、蹴り出しローラ３、繰り出しローラ４、分離ローラ５、送りローラ７、搬送ベルト８、羽根車１１およびローラ１３が停止される。
【００５２】
蹴り出しローラ３、繰り出しローラ４、分離ローラ５、送りローラ７、搬送ベルト８、羽根車１１およびローラ１３の停止後、紙幣計数機が開かれ、一部重なり合って、搬送された紙幣あるいはジャミングを起した紙幣は、オペレータによって、取り除かれる。
【００５３】
紙幣のサイズ検出データと紙幣の金種毎の基準サイズ検出データとを比較した結果、紙幣の長辺の長さが各金種の紙幣の基準長辺長よりも、所定の割合を越えて、長いことはないと判別したときは、ＣＰＵ３５は、センサデバイス９から入力された紙幣のサイズ検出データ、紙幣の磁気検出データ、紙幣の表面パターン検出データ、紙幣の蛍光検出データおよび紙幣の金属片検出データと、ＲＯＭ３６から読み出した紙幣の金種毎の基準サイズ検出データ、基準磁気検出データ、基準表面パターン検出データ、基準蛍光検出データおよび基準金属片検出データとを比較して、センサデバイス９が検出した紙幣が受け入れ可能か否かおよびその金種が判別される。
【００５４】
その結果、紙幣が受け入れ可能であると判別したときは、ＣＰＵ３５は、ＲＡＭ３７の計数値記憶領域に記憶されている紙幣のその金種の計数枚数を１枚だけ増大させるとともに、ＲＡＭ３７の所定のメモリ領域に記憶されている紙幣の合計検出枚数を１枚だけ増大させる。このときには、１枚目の紙幣が検出されているので、ＣＰＵ３５は、その金種の紙幣の計数枚数および紙幣の合計検出枚数として、それぞれ、１枚をＲＡＭ３７の計数値記憶領域および所定のメモリ領域に書き込む。
【００５５】
同時に、ＣＰＵ３５は、紙幣の判別された金種を基準金種として、ＲＡＭ３７の所定のメモリ領域に書き込む。
【００５６】
紙幣は、センサデバイス９から、さらに、ローラ１３に送られて、ローラ１３によって、羽根車１１の隣接する羽根の間に送り込まれ、紙幣集積部１０内に集積される。
【００５７】
紙幣が、紙幣集積部１０内に送られると、蹴り出しローラ３によって、紙幣ホッパー１内に装填されている次の最下の紙幣が、繰り出しローラ４に向けて蹴り出される。
【００５８】
これに対して、センサデバイス９が検出した紙幣が、偽造紙幣や外国紙幣などの受け入れ不能な紙幣であると判別したときは、ＣＰＵ３５は、その受け入れ不能な紙幣を計数することなく、単に、ＲＡＭ３７の所定のメモリ領域に記憶されている紙幣の合計検出枚数を１枚だけ増大させて、受け入れ不能な紙幣が紙幣集積部１０に送られるタイミングで、駆動停止信号をモータ３０に出力する。
【００５９】
その結果、センサデバイス９によって、受け入れ不能な紙幣と判別された紙幣が、紙幣集積部１０内に集積された時点で、蹴り出しローラ３、繰り出しローラ４、分離ローラ５、送りローラ７、搬送ベルト８、羽根車１１およびローラ１３が停止される。紙幣集積部１０に集積された受け入れ不能な紙幣は、オペレータによって、回収されるが、それまでに、紙幣集積部１０内に集積されていた基準金種の紙幣は回収されない。
【００６０】
紙幣の多重送りが発生した場合および受け入れ不能な紙幣が検出された場合には、紙幣が、紙幣集積部１０内に送られても、紙幣ホッパー１に装填されている次の紙幣が、自動的に、蹴り出しローラ３によって、繰り出しローラ４に向けて、蹴り出されることはなく、オペレータによって、「ＳＴＡＲＴ」キー２７が操作されて初めて、紙幣ホッパー１に装填されている次の紙幣が、１枚目の紙幣と同様にして、蹴り出しローラ３および繰り出しローラ４によって、紙幣計数機内に送り込まれる。
【００６１】
ＣＰＵ３５によって、最初に、紙幣が受け入れ可能と判別され、その金種が基準金種として、ＲＡＭ３７に書き込まれた後に、蹴り出しローラ３および繰り出しローラ４によって、１枚づつ、紙幣搬送通路６内に繰り出された紙幣については、ＣＰＵ３５によって、センサデバイス９が検出した紙幣の検出データおよびＲＯＭ３６から読み出した紙幣の各金種の基準データに基づいて、多重送りが発生したか否か、紙幣のジャミングが発生したか否か、紙幣が受け入れ可能か否かに加えて、紙幣の金種が、ＲＡＭ３７に記憶された基準金種、すなわち、最初に受け入れ可能と判別された紙幣の金種に一致するか否かが判別される。
【００６２】
詳細には、紙幣の多重送りも紙幣のジャミングも発生してはおらず、紙幣が受け入れ可能な紙幣であると判別して、その紙幣の金種を判別したときには、ＣＰＵ３５は、さらに、ＲＡＭ３７にアクセスして、ＲＡＭ３７に書き込まれた基準金種を読み出し、その紙幣の金種と一致するか否かを判別する。
【００６３】
その結果、その紙幣の金種が、ＲＡＭ３７に書き込まれた基準金種と一致すると判別したときは、ＣＰＵ３５は、ＲＡＭ３７の計数値記憶領域に記憶されているその金種の計数枚数を１枚だけ増大させるともに、ＲＡＭ３７の所定のメモリ領域に記憶されている紙幣の合計検出枚数を１枚だけ増大させて、その紙幣を、紙幣集積部１０に送って、集積させる。
【００６４】
これに対して、その紙幣の金種が、ＲＡＭ３７に書き込まれた基準金種と一致しないと判別したときは、ＣＰＵ３５は、その紙幣の金種を基準金種として、ＲＡＭ３７に書き込まれた基準金種を書き換え、ＲＡＭ３７の計数値記憶領域に、その金種の計数枚数が記憶されているときは、その金種の計数枚数を１枚だけ増大させ、ＲＡＭ３７の計数値記憶領域に、その金種の計数枚数が記憶されていないときは、その金種の計数枚数として、１枚を書き込み、ＲＡＭ３７の所定のメモリ領域に記憶されている紙幣の合計検出枚数を増大させることなく、新たに基準金種として設定された金種の紙幣が紙幣集積部１０に送られるタイミングで、モータ３０に駆動停止信号を出力して、蹴り出しローラ３、繰り出しローラ４、分離ローラ５、送りローラ７、搬送ベルト８、羽根車１１およびローラ１３が停止させる。
【００６５】
同時に、ＣＰＵ３５は、表示部２９に、基準金種と異なる金種の紙幣が検出され、基準金種が書き換えられた旨を表示させ、オペレータに、紙幣集積部１０に集積された基準金種が書き換えられる前の基準金種の紙幣および新たに基準金種に設定された金種の紙幣を回収させる。回収された基準金種が書き換えられる前の基準金種の紙幣と新たに基準金種に設定された金種の紙幣は、別個に保管される。
【００６６】
このように、本実施態様においては、基準金種として設定された金種の紙幣とは異なる金種の紙幣が検出されるたびに、ＣＰＵ３５によって、ＲＡＭ３７に書き込まれた基準金種が書き換えられるとともに、新たに基準金種として設定された金種の紙幣が紙幣集積部１０に送られるタイミングで、モータ３０に駆動停止信号が出力され、蹴り出しローラ３、繰り出しローラ４、分離ローラ５、送りローラ７、搬送ベルト８、羽根車１１およびローラ１３が停止されて、基準金種が書き換えられた旨が表示部２９に表示される。
【００６７】
したがって、オペレータは、基準金種が変わったことを、確実に認識することができるから、紙幣集積部１０に集積された基準金種が書き換えられる前の基準金種の紙幣および新たに基準金種に設定された金種の紙幣を回収して、別個に保存することによって、紙幣を金種別に選別することが可能になる。
【００６８】
紙幣集積部１０に集積された基準金種が書き換えられる前の基準金種の紙幣および新たに基準金種に設定された金種の紙幣が、紙幣集積部１０から、すべて回収され、集積紙幣センサ１２が集積された紙幣を検出しなくなり、集積紙幣センサ１２から集積紙幣検出信号が入力されなくなると、ＣＰＵ３５は、ＲＡＭ３７の所定のメモリ領域に記憶されている紙幣の合計検出枚数をゼロにリセットし、ＲＡＭ３７の計数値記憶領域に記憶されている金種毎の紙幣の計数値を、初期値として、紙幣の判別計数を再開する。
【００６９】
以上のようにして、紙幣ホッパー１に装填された紙幣が、次々に、判別されつつ、計数されて、紙幣集積部１０に送られ、ＣＰＵ３５によって、２枚以上の紙幣が同時に送られ、多重送りが発生したことも、また、紙幣が、紙幣計数機内でジャミングを起こしたことも検出されることなく、センサデバイス９によって、紙幣が検出された結果、ＲＡＭ３７の所定のメモリ領域に記憶されている紙幣の合計検出枚数が、紙幣集積部１０の紙幣の集積容量に等しいＮ枚、たとえば、２００枚に等しくなり、紙幣集積部１０内に、紙幣集積部１０の紙幣の集積容量に等しいＮ枚、たとえば、２００枚の紙幣が集積されたと判定したときは、ＣＰＵ３５は、その紙幣が、紙幣集積部１０に送られるタイミングで、モータ３０に駆動停止信号を出力して、蹴り出しローラ３、繰り出しローラ４、分離ローラ５、送りローラ７、搬送ベルト８、羽根車１１およびローラ１３を停止させて、第１の紙幣計数サイクルを終了させる。
【００７０】
同時に、ＣＰＵ３５は、ＲＡＭ３７の計数値記憶領域に記憶された金種別の紙幣の枚数を読み出し、オペレータによって、「ＶＡＬＵＥ」キー２２が操作されていないときは、金種毎の紙幣の枚数および紙幣の合計枚数を、操作パネル１４の表示部２９に表示させ、他方、オペレータによって、「ＶＡＬＵＥ」キー２２および「ＤＥ」キー２３が操作されて、金額表示モードに設定され、かつ、金種別に金額を表示させるモードに設定されているときは、金種別の金額を算出して、操作パネル１４の表示部２９に表示させ、金額表示モードに設定され、かつ、計数した紙幣の合計金額を表示させるモードに設定されているときは、計数した紙幣の合計金額を算出して、表示部２９に表示させる。
【００７１】
オペレータが、計数された紙幣の金種別の枚数および紙幣の合計枚数、金種別の金額あるいは合計金額を確認した後、紙幣集積部１０に集積された基準金種の紙幣を回収すると、集積紙幣センサ１２によって、紙幣集積部１０から基準金種の紙幣が回収されたことが検出され、回収完了信号がＣＰＵ３５に出力される。
【００７２】
ここに、本実施態様においては、基準金種と金種が異なる紙幣も、計数され、紙幣集積部１０に集積されるが、基準金種と金種が異なる紙幣が検出されたときは、ＣＰＵ３５によって、その旨が表示部２９に表示され、紙幣集積部１０に集積された基準金種の紙幣および基準金種と金種が異なる紙幣は、オペレータによって回収され、別個に保管されるから、第１の判別計数サイクルが完了した時点において、紙幣集積部１０に集積されているのは、基準金種の紙幣のみであり、基準金種以外の金種の紙幣は、オペレータによって、金種毎に、別個に保管されている。
【００７３】
本実施態様においては、オペレータによって「ＣＶＣ」キー２３が操作され、継続計数モードに設定されており、紙幣ホッパー１に装填可能な紙幣の最大枚数Ｍ、すなわち、紙幣ホッパー１の紙幣の収容容量Ｍは、紙幣集積部１０に集積可能な紙幣の枚数Ｎ、すなわち、紙幣集積部１０の紙幣の集積容量Ｎよりも大きいので、紙幣ホッパー１から、紙幣が次々に繰り出され、センサデバイス９によって検出された結果、ＲＡＭ３７の所定のメモリ領域に記憶されている紙幣の合計検出枚数が、紙幣集積部１０に集積可能な紙幣の枚数Ｎに等しくなり、紙幣集積部１０内に、紙幣集積部１０の紙幣の集積容量に等しいＮ枚の紙幣が集積されて、第１の判別計数サイクルが完了した後にも、紙幣ホッパー１内に、計数が完了していない紙幣が存在している可能性がある。ここに、紙幣センサ２からは、紙幣ホッパー１内に紙幣が存在している間、紙幣検出信号がＣＰＵ３５に出力されているので、計数が完了していない紙幣が紙幣ホッパー１内に存在しているか否かは、紙幣センサ２から紙幣検出信号に基づいて判定することができる。
【００７４】
そこで、ＣＰＵ３５は、集積紙幣センサ１２から回収完了信号が入力された時点で、紙幣センサ２から紙幣検出信号が入力されているときは、紙幣ホッパー１内に、計数が完了していない紙幣が存在していると判定して、第２の判別計数サイクルを実行する。
【００７５】
すなわち、ＣＰＵ３５は、ＲＡＭ３７の計数値記憶領域に記憶されている紙幣の金種毎の枚数を仮の計数値として、ＲＡＭ３７の別のメモリ領域である仮計数値記憶領域に保存した後、モータ３０に駆動信号を出力し、ＲＡＭ３７の計数値記憶領域に記憶されている紙幣の金種毎の計数値を初期値として、自動的に、第２の判別計数サイクルを開始し、紙幣ホッパー１内に残っている紙幣の計数を再開する。第２の判別計数サイクルを開始するに先立って、ＣＰＵ３５は、ＲＡＭ３７の所定のメモリ領域に記憶されている紙幣の合計検出枚数をゼロにリセットする。
【００７６】
第１の判別計数サイクルと同様にして、紙幣ホッパー１内に装填された紙幣の計数を再開した後、ＣＰＵ３５によって、２枚以上の紙幣が同時に送られたことも、また、紙幣が、紙幣計数機内でジャミングを起こしたことも検出されることなく、センサデバイス９によって、紙幣が検出された結果、ＲＡＭ３７の所定のメモリ領域に記憶されている紙幣の合計検出枚数が、紙幣集積部１０の紙幣の集積容量に等しいＮ枚、たとえば、２００枚に等しくなり、紙幣集積部１０内に、紙幣集積部１０の紙幣の集積容量に等しいＮ枚、たとえば、２００枚の紙幣が集積されたと判定したときは、ＣＰＵ３５は、その紙幣が、紙幣集積部１０に送られるタイミングで、モータ３０に駆動停止信号を出力して、蹴り出しローラ３、繰り出しローラ４、分離ローラ５、送りローラ７、搬送ベルト８、羽根車１１およびローラ１３を停止させる。
【００７７】
こうして、第２の判別計数サイクルが完了すると、第１の判別計数サイクルと同様にして、ＣＰＵ３５は、表示部２９に、紙幣の計数結果を表示させる。
【００７８】
オペレータが、計数が完了して、紙幣集積部１０内に集積されたＮ枚の紙幣を取り出し、集積紙幣センサ１２から、回収完了信号が入力された時点で、紙幣センサ２から紙幣検出信号が入力されているときは、紙幣ホッパー１内に、計数が完了していない紙幣がまだ残っていると判定されるから、ＣＰＵ３５は、第２の判別計数サイクルによって、ＲＡＭ３７の所定のメモリ領域に記憶されている紙幣の合計検出枚数がＮ枚に等しくなるまで、紙幣を紙幣ホッパー１から繰り出して、計数し、ＲＡＭ３７の計数値記憶領域に記憶させた紙幣の金種別の枚数を、ＲＡＭ３７の仮計数値記憶領域に記憶されている第１の判別計数サイクルで得た紙幣の金種別の仮の計数値に、上書きして、仮の金種別の計数値を更新し、ＲＡＭ３７の仮計数値記憶領域に記憶させて、モータ３０に駆動信号を出力し、ＲＡＭ３７の計数値記憶領域に記憶されている紙幣の計数値を初期値として、自動的に、第３の判別計数サイクルを開始し、紙幣ホッパー１内に装填された紙幣の計数を再開する。
【００７９】
このようにして、紙幣ホッパー１に装填された紙幣を、紙幣センサ２が検出しなくなるまで、紙幣の計数が実行され、紙幣ホッパー１に装填された紙幣を、紙幣センサ２が検出しなくなり、紙幣センサ２から紙幣検出信号が入力されなくなると、ＣＰＵ３５は、紙幣の計数を終了させる。
【００８０】
オペレータは、紙幣ホッパー１内に紙幣が存在しなくなったことを確認し、さらに、計数すべき紙幣がないときは、操作パネル１４の「ＥＮＤ」キーを操作する。その結果、計数完了信号がＣＰＵ３５に出力される。
【００８１】
計数完了信号を受けると、ＣＰＵ３５は、ＲＡＭ３７の計数値記憶領域に記憶された紙幣の金種別の枚数を、紙幣の計数値として、確定させる。同時に、ＣＰＵ３５は、ＲＡＭ３７の仮計数値記憶領域に保存されている仮の計数値をクリアする。
【００８２】
紙幣の計数値が確定すると、ＣＰＵ３５は、ＲＡＭ３７に記憶された紙幣の確定的な計数値である金種別の紙幣の枚数を読み出し、オペレータによって、「ＶＡＬＵＥ」キー２２が操作されていないときは、金種毎の紙幣の枚数および紙幣の合計枚数を、操作パネル１４の表示部２９に表示させ、他方、オペレータによって、「ＶＡＬＵＥ」キー２２および「ＤＥ」キー２３が操作されて、金額表示モードに設定されるとともに、金種別に金額を表示させるモードに設定されているときは、金種別の金額を算出して、操作パネル１４の表示部２９に表示させ、金額表示モードに設定されるとともに、計数した紙幣の合計金額を表示させるモードに設定されているときは、計数した紙幣の合計金額を算出して、表示部２９に表示させる。
【００８３】
これに対して、紙幣の計数動作中に、ＣＰＵ３５によって、受け入れ不能な紙幣が検出されたときは、ＣＰＵ３５は、その受け入れ不能な紙幣を計数することも、ＲＡＭ３７の所定のメモリ領域に記憶されている紙幣の合計検出枚数を増大させることもなく、その受け入れ不能な紙幣が紙幣集積部１０内に送られるタイミングで、モータ３０に駆動停止信号を出力して、蹴り出しローラ３、繰り出しローラ４、分離ローラ５、送りローラ７、搬送ベルト８、羽根車１１およびローラ１３を停止させる。
【００８４】
紙幣集積部１０に送られた受け入れ不能な紙幣と判別された紙幣は、オペレータによって、回収されるが、それまでに、紙幣集積部１０内に集積されていた基準金種の紙幣は回収されない。したがって、ＣＰＵ３５は、ＲＡＭ３７の所定のメモリ領域に記憶された紙幣の合計検出枚数をゼロにリセットせず、ＲＡＭ３７の所定のメモリ領域に記憶された紙幣の合計検出枚数は、そのままの値で保持される。
【００８５】
この場合には、その受け入れ不能な紙幣が検出される前までの紙幣の計数は正常に実行されているから、オペレータは「ＳＴＡＲＴ」キー２７を操作して、紙幣の計数を再開させる。ここに、受け入れ不能な紙幣と判別された紙幣が誤って判別されたものと考えられるときは、改めて、紙幣ホッパー１内に、その紙幣を装填して、「ＳＴＡＲＴ」キー２７を操作し、紙幣の計数を再開させることもできる。
【００８６】
一方、紙幣の計数動作中に、ＣＰＵ３５によって、２枚以上の紙幣が同時に送られたことが検出されたときは、ＣＰＵ３５は、それらの紙幣を計数することも、また、ＲＡＭ３７の所定のメモリ領域に記憶されている紙幣の合計検出枚数を増大させることもなく、その紙幣が紙幣集積部１０内に送られるタイミングで、モータ３０に駆動停止信号を出力して、蹴り出しローラ３、繰り出しローラ４、分離ローラ５、送りローラ７、搬送ベルト８、羽根車１１およびローラ１３を停止させる。
【００８７】
この場合には、何枚の紙幣が同時に送られていたかを判定することができないから、紙幣集積部１０に集積された紙幣のそれまでの計数結果は信頼性がなく、したがって、紙幣集積部１０内に集積されたすべての紙幣が、オペレータによって回収され、改めて、紙幣ホッパー１内に再装填された後、「ＳＴＡＲＴ」キー２７が操作されて、紙幣の計数が再開される。
【００８８】
紙幣集積部１０内に集積されたすべての紙幣が回収され、集積紙幣センサ１２から集積紙幣検出信号が入力されなくなると、ＣＰＵ３５は、ＲＡＭ３７に記憶された紙幣の合計検出枚数をゼロにリセットする。
【００８９】
この際、その判別計数サイクルが、第２の判別計数サイクル以降のサイクルであって、ＲＡＭ３７の仮計数値記憶領域に保存されている紙幣の仮計数値があるときは、ＣＰＵ３５は仮計数数値を読み出し、紙幣の計数値の初期値として、計数値記憶領域に記憶させて、紙幣の計数を再開する。
【００９０】
他方、紙幣が、紙幣計数機内でジャミングを起こした場合には、ＣＰＵ３５から、ただちに、駆動停止信号がモータ３０に出力され、蹴り出しローラ３、繰り出しローラ４、分離ローラ５、送りローラ７、搬送ベルト８、羽根車１１およびローラ１３が停止されて、紙幣計数機が開かれ、ジャミングを起こした紙幣を取り除かれるが、何枚の紙幣が一部重なり合って、搬送されて、ジャミングが発生したかが明らかでないので、この場合にも、紙幣集積部１０内に集積されたすべての紙幣が、オペレータによって回収され、改めて、紙幣ホッパー１内に再装填された後、「ＳＴＡＲＴ」キー２７が操作されて、紙幣の計数が再開される。
【００９１】
紙幣集積部１０内に集積されたすべての紙幣が回収され、集積紙幣センサ１２から集積紙幣検出信号が入力されなくなると、ＣＰＵ３５は、ＲＡＭ３７に記憶された紙幣の合計検出枚数をゼロにリセットする。
【００９２】
この際、その判別計数サイクルが、第２の判別計数サイクル以降のサイクルであって、ＲＡＭ３７の仮計数値記憶領域に保存されている紙幣の仮計数値があるときは、ＣＰＵ３５は仮計数数値を読み出し、紙幣の計数値の初期値として、計数値記憶領域に記憶させて、紙幣の計数を再開する。
【００９３】
本実施態様によれば、基準金種と金種の異なる紙幣も、基準金種の紙幣と同様に、計数されて、その枚数が、ＲＡＭ３７の計数値記憶領域に記憶されるから、種々の金種の紙幣が含まれている紙幣を、紙幣ホッパー１に装填することによって、金種毎の紙幣の枚数および紙幣の合計枚数、あるいは、金種毎の金額および紙幣の合計金額を計数することができ、効率的であるだけでなく、基準金種と金種の異なる受け入れ可能な紙幣が検出されたときは、ＣＰＵ３５によって、その紙幣の金種が、新た基準金種として、ＲＡＭ３７に書き込まれた基準金種が書き換えられるとともに、その旨が表示部２９に表示されるので、オペレータは、書き換えられる前の基準金種の紙幣と新たに基準金種に設定された金種の紙幣を、紙幣集積部１０から回収し、別個に、金種別に保管することができるから、種々の金種の紙幣が含まれている紙幣を、金種別に選別することが可能になる。
【００９４】
また、本実施態様によれば、基準金種として設定された金種の紙幣とは異なる金種の紙幣が検出されるたびに、ＣＰＵ３５によって、ＲＡＭ３７に書き込まれた基準金種が書き換えられるとともに、新たに基準金種として設定された金種の紙幣が紙幣集積部１０に送られるタイミングで、モータ３０に駆動停止信号が出力され、蹴り出しローラ３、繰り出しローラ４、分離ローラ５、送りローラ７、搬送ベルト８、羽根車１１およびローラ１３が停止されて、基準金種が書き換えられた旨が表示部２９に表示されるから、オペレータは、基準金種が変わったことを、確実に認識することができ、紙幣集積部１０内に集積されている基準金種が書き換えられる前の基準金種の紙幣と新たに基準金種に設定された金種の紙幣を、紙幣集積部１０から回収して、別個に保存し、紙幣を金種別に選別することが可能になる。
【００９５】
さらに、本実施態様によれば、基準金種として設定された金種の紙幣とは異なる金種の紙幣が検出されるたびに、ＣＰＵ３５によって、ＲＡＭ３７に書き込まれた基準金種が書き換えられるから、最初に、受け入れ可能と判別された金種の紙幣の枚数が少なくても、基準金種はすぐに枚数の多い金種に書き換えられ、したがって、オペレータが、紙幣集積部１０に集積された紙幣を回収する頻度を減少させ、効率を向上させることが可能になる。
【００９６】
また、本実施態様によれば、ＣＰＵ３５は、センサデバイス９から入力された紙幣の検出データと、ＲＯＭ３６から読み出した計数すべき紙幣の各金種の基準データを比較した結果、２枚以上の紙幣が同時に送られて、多重送りが発生していると判別したときに、多重送りを発生させた紙幣が紙幣集積部１０に送られるタイミングで、モータ３０に駆動停止信号を出力して、蹴り出しローラ３、繰り出しローラ４、分離ローラ５、送りローラ７、搬送ベルト８、羽根車１１およびローラ１３を停止させ、また、紙幣が受け入れ不能な紙幣であると判別したときに、その受け入れ不能な紙幣が紙幣集積部１０に送られるタイミングで、モータ３０に駆動停止信号を出力して、蹴り出しローラ３、繰り出しローラ４、分離ローラ５、送りローラ７、搬送ベルト８、羽根車１１およびローラ１３を停止させているので、受け入れ不能な紙幣を回収するための手段を設けることなく、多重送りを発生させた紙幣や受け入れ不能な紙幣を回収することができ、紙幣計数機を小型化することが可能になる。
【００９７】
さらに、本実施態様によれば、紙幣計数機は、紙幣集積部１０に集積可能な紙幣の枚数Ｎが、紙幣ホッパー１に装填可能な紙幣の枚数Ｍよりも少なくなるように構成され、ＣＰＵ３５は、紙幣ホッパー１から、紙幣が次々に繰り出され、センサデバイス９によって検出された結果、ＲＡＭ３７の所定のメモリ領域に記憶されている紙幣の合計検出枚数が、紙幣集積部１０に集積可能な紙幣の枚数Ｎに等しくなるまでを、１つの判別計数サイクルとして、換言すれば、紙幣集積部１０に集積可能な紙幣の枚数Ｎに等しい数の紙幣が、紙幣集積部１０に集積されるまでを、１つの判別計数サイクルとして、紙幣を判別計数し、第１の判別計数サイクルが完了すると、第１の判別計数サイクルにおいて計数した紙幣の金種別の枚数を、仮計数値として、ＲＡＭ３７の仮計数値記憶領域に記憶させ、その後、１つの判別計数サイクルが完了するたびに、ＲＡＭ３７の計数値記憶領域に記憶された紙幣の計数値によって、ＲＡＭ３７の仮計数値記憶領域に記憶された仮計数値を上書きして、更新している。したがって、ＲＡＭ３７の仮計数値記憶領域には、それ以前の判別計数サイクルにおいて、計数された紙幣の金種別の枚数が記憶されており、何枚の紙幣が同時に送られたかを判定することのできない多重送りが発生した場合や、何枚の紙幣がジャミングを起こしたかを判定することのできない紙幣のジャミングが発生した場合に、そのサイクルで計数され、紙幣集積部１０に集積された紙幣を、再度、紙幣ホッパー１にセットし、紙幣の多重送りや紙幣のジャミングが発生した判別計数サイクルに先立つ判別計数サイクルにおいて計数され、ＲＡＭ３７の仮計数値記憶領域に記憶されている紙幣の仮計数値を初期値として、紙幣ホッパー１にセットし直した紙幣を再計数するだけで、すべての紙幣の計数をやり直さなくても、紙幣の計数が可能になり、きわめて効率的である。
【００９８】
図４は、本発明の他の好ましい実施態様にかかる紙幣計数機の駆動系、検出系、制御系、入力系および表示系のブロックダイアグラムである。
【００９９】
図４に示されるように、本発明の他の好ましい実施態様にかかる紙幣計数機の駆動系は、図１ないし図３に示された実施態様にかかる紙幣計数機と同様に、蹴り出しローラ３、繰り出しローラ４、分離ローラ５、送りローラ７、搬送ベルト８、羽根車１１およびローラ１３を駆動するモータ３０を備え、モータ３０の駆動力は、電磁クラッチ３１および電磁ブレーキ３２を介して、蹴り出しローラ３および繰り出しローラ４に断続的に伝達されるように構成されている。
【０１００】
図４に示されるように、本実施態様にかかる紙幣計数機の検出系は、図１ないし図３に示された実施態様にかかる紙幣計数機と同様に、紙幣ホッパー１に紙幣が装填されているか否かを検出する紙幣センサ２と、紙幣を判別するセンサデバイス９と、紙幣集積部１０に紙幣が集積されているか否かを検出する集積紙幣センサ１２とを備えている。
【０１０１】
図４に示されるように、本実施態様にかかる紙幣計数機の制御系は、図１ないし図３に示された実施態様にかかる紙幣計数機と同様に、紙幣計数機全体を制御するＣＰＵ３５と、紙幣の金種毎の基準データを記憶しているＲＯＭ３６と、ＲＡＭ３７とを備えている。
【０１０２】
図４に示されるように、本実施態様にかかる紙幣計数機の入力系は、図１ないし図３に示された実施態様にかかる紙幣計数機と同様に、「ＰＲＥＳＥＴ」キー２０と、「ＡＤＤ」キー２１と、「ＶＡＬＵＥ」キー２２と、「ＣＶＣ」キー２３と、「ＤＥ」キー２４と、「ＦＵＮＣＴＩＯＮ」キー２５と、テンキー２６と、「ＳＴＡＲＴ」キー２７と、「ＥＮＤ」キー２８とに加え、基準となる基準金種を設定可能な金種設定手段４０を備えており、紙幣計数機の表示系は、表示部２９と、アラーム手段４５を備えている。
【０１０３】
本実施態様にかかる紙幣計数機は、ＣＰＵ３５が、オペレータが、金種設定手段４０によって、基準金種を指示し、ＣＰＵ３５に、ＲＡＭ３７に書き込ませるように構成され、基準金種と異なる金種の紙幣を検出したときに、ＣＰＵ３５が、表示部２８にその旨を表示させるだけでなく、アラーム手段４５にアラーム信号を出力して、アラーム音を発生させ、基準金種と異なる金種の紙幣が検出されたことを、オペレータに知らせるように構成されている点を除いて、図１ないし図３に示された実施態様にかかる紙幣計数機と全く同様である。
【０１０４】
すなわち、本実施態様においては、紙幣を計数するのに先立って、オペレータによって、金種設定手段４０が操作され、基準金種が設定され、ＲＡＭ３７に書き込まれる。
【０１０５】
ＣＰＵ３５は、受け入れ可能な紙幣を検出したときは、ＲＡＭ３７にアクセスして、受け入れ可能と判別した紙幣の金種が、ＲＡＭ３７に書き込まれている基準金種と一致するか否かを判定し、一致していると判定したときは、ＣＰＵ３５は、ＲＡＭ３７の計数値記憶領域に記憶されているその金種の計数枚数を１枚だけ増大させるともに、ＲＡＭ３７の所定のメモリ領域に記憶されている紙幣の合計検出枚数を１枚だけ増大させて、その紙幣を、紙幣集積部１０に送って、集積させる。
【０１０６】
これに対して、その紙幣の金種が、ＲＡＭ３７に書き込まれた基準金種と一致しないと判別したときは、ＣＰＵ３５は、その紙幣の金種を基準金種として、ＲＡＭ３７に書き込まれた基準金種を書き換え、ＲＡＭ３７の計数値記憶領域に記憶されているその金種の計数枚数を１枚だけ増大させるとともに、ＲＡＭ３７の所定のメモリ領域に記憶されている紙幣の合計検出枚数を１枚だけ増大させて、新たに基準金種として設定された金種の紙幣が紙幣集積部１０に送られるタイミングで、モータ３０に駆動停止信号を出力して、蹴り出しローラ３、繰り出しローラ４、分離ローラ５、送りローラ７、搬送ベルト８、羽根車１１およびローラ１３が停止させる。
【０１０７】
同時に、ＣＰＵ３５は、表示部２９に、基準金種と異なる金種の紙幣が検出され、基準金種が書き換えられた旨を表示させ、オペレータに、紙幣集積部１０に集積されている基準金種が書き換えられる前の基準金種の紙幣と新たに基準金種に設定された金種の紙幣を、紙幣集積部１０から、すべて回収させる。回収された基準金種が書き換えられる前の基準金種の紙幣と新たに基準金種に設定された金種の紙幣は、別個に保管される。
【０１０８】
基準金種が書き換えられる前の基準金種の紙幣と新たに基準金種に設定された金種の紙幣が、紙幣集積部１０から回収され、集積紙幣センサ１２から集積紙幣検出信号が入力されなくなると、ＣＰＵ３５は、ＲＡＭ３７の所定のメモリ領域に記憶されている紙幣の合計検出枚数をゼロにリセットする。
【０１０９】
本発明は、以上の実施態様に限定されることなく、特許請求の範囲に記載された発明の範囲内で種々の変更が可能であり、それらも本発明の範囲内に包含されるものであることはいうまでもない。
【０１１０】
たとえば、図１ないし図３に示された実施態様においては、基準金種と異なる金種の紙幣を検出したときに、ＣＰＵ３５が、表示部２８にその旨を表示させて、オペレータに、基準金種と異なる金種の紙幣が検出されたことをに知らせるように構成され、図４に示された実施態様においては、基準金種と異なる金種の紙幣を検出したときに、ＣＰＵ３５が、表示部２８にその旨を表示させるだけでなく、アラーム手段４５にアラーム信号を出力して、アラーム音を発生させ、基準金種と異なる金種の紙幣が検出されたことを、オペレータに知らせるように構成されているが、基準金種と異なる金種の紙幣を検出したときに、ＣＰＵ３５が、基準金種と異なる金種の紙幣を検出した旨を、表示部２９には表示せず、アラーム手段４５にアラーム信号を出力して、アラーム音を発生させるのみで、基準金種と異なる金種の紙幣が検出されたことを、オペレータに知らせるように構成することもできる。
【０１１１】
さらに、前記実施態様においては、ＣＰＵ３５によって、２枚以上の紙幣が同時に送られ、多重送りが発生したことも、紙幣が、紙幣計数機内でジャミングを起こしたことも検出されることなく、センサデバイス９によって、紙幣が検出された結果、ＲＡＭ３７の所定のメモリ領域に記憶されている紙幣の合計検出枚数が、紙幣集積部１０の紙幣の集積容量に等しいＮ枚、たとえば、２００枚に等しくなったと判定したときに、紙幣センサ２が、紙幣ホッパー１内に紙幣が存在していることを検出している場合には、オペレータが、紙幣集積部１０内に集積された紙幣を回収することによって、集積紙幣センサ１２から、集積紙幣検出信号が入力されなくなった時点で、ＣＰＵ３５が、自動的に、紙幣の計数を再開するように構成されているが、「ＳＴＡＲＴ」キー２７を操作することによって、紙幣の計数が再開されるように構成することもできる。
【０１１２】
また、前記実施態様においては、紙幣ホッパー１に装填された紙幣を、紙幣センサ２が検出しなくなるまで、紙幣の計数が実行され、その後、紙幣の計数を終了させるために、オペレータが、操作パネル１４の「ＥＮＤ」キー２８を操作して、計数完了信号をＣＰＵ３５に出力させているが、「ＥＮＤ」キーを設けることなく、紙幣センサ２およびセンサデバイス９が紙幣を検出しなくなってから、所定の時間が経過したときに、自動的に、ＣＰＵ３５が紙幣の計数を終了させるように構成することもできる。
【０１１３】
また、前記実施態様においては、センサデバイス９によって、紙幣に含まれた金属片を検出して、紙幣を判別しているが、紙幣に含まれた金属片に代えて、あるいは、金属片とともに、紙幣に含まれたプラスチック片を検出して、紙幣を判別するようにしてもよい。
【０１１４】
さらに、前記実施態様においては、紙幣が、紙幣集積部１０内に送られた時点で、蹴り出しローラ３によって、紙幣ホッパー１内に装填されている次の最下の紙幣が、繰り出しローラ４に向けて、蹴り出されるように構成されているが、センサデバイス９が紙幣を検出した時点で、次の紙幣が、繰り出しローラ４に向けて、蹴り出しローラ３によって、蹴り出されるように構成することもできる。
【０１１５】
【発明の効果】
本発明によれば、効率良く、紙幣を計数することができ、紙幣を金種別に選別することのできる小型の紙幣計数機を提供することが可能になる。
【図面の簡単な説明】
【図１】図１は、本発明の好ましい実施態様にかかる紙幣計数機の略縦断面図である。
【図２】図２は、操作パネル部の略正面図である。
【図３】図３は、本発明の好ましい実施態様にかかる紙幣計数機の駆動系、検出系、制御系、入力系および表示系のブロックダイアグラムである。
【図４】図４は、本発明の他の好ましい実施態様にかかる紙幣計数機の駆動系、検出系、制御系、入力系および表示系のブロックダイアグラムである。
【符号の説明】
１    紙幣ホッパー
２  紙幣センサ
３  蹴り出しローラ
４  繰り出しローラ
５  分離ローラ
６  紙幣搬送通路
７  送りローラ
８  搬送ベルト
９  センサデバイス
１０  紙幣集積部
１１  羽根車
１２  集積紙幣センサ
１３  ローラ
１４  操作パネル
２０  「ＰＲＥＳＥＴ」キー
２１  「ＡＤＤ」キー
２２  「ＶＡＬＵＥ」キー
２３  「ＣＶＣ」キー
２４  「ＤＥ」キー
２５  「ＦＵＮＣＴＩＯＮ」キー
２６  テンキー
２７  「ＳＴＡＲＴ」キー
２８  「ＥＮＤ」キー
２９  表示部
３０  モータ
３１  電磁クラッチ
３２  電磁ブレーキ
３５  ＣＰＵ
３６  ＲＯＭ
３７  ＲＡＭ
４０  金種設定手段
４５  アラーム手段
【図１】
0003544166.tif 000002
【図２】
0003544166.tif 000003
【図３】
0003544166.tif 000004
【図４】
0003544166.tif 000005